【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
連携モードにおいて装置と連携するためのデバイスであって、
前記装置から第１の信号を受信するためのインタフェースであって、前記第１の信号は、前記連携モードを示すための指標を有し、前記指標は、前記装置のプロファイルに関連付けられる、インタフェースと、
前記連携モードにおいて前記装置を介してユーザにより生成されるユーザ信号を検出するためのセンサと、
前記装置の前記プロファイルを考慮して、前記センサからの検出結果を解析し、解析結果に基づいて当該デバイスの動作を制御するためのコントローラとを有する、デバイス。
【請求項２】
前記装置の前記プロファイルは、前記装置により前記第１の信号を介して供給されるか、又は、前記装置の前記プロファイルは、前記装置により第２の信号を介して供給され、これにより、前記インタフェースが、前記装置から前記第２の信号を受信するように構成される、請求項１に記載のデバイス。
【請求項３】
前記装置の前記プロファイルは、第３の信号を介してサーバにより供給され、当該デバイスは、前記指標により前記第３の信号をネットワークを介して前記サーバから取り出すための取り出し部を更に有する、請求項１に記載のデバイス。
【請求項４】
前記コントローラは、当該デバイスの状態を規定する、及び／又は、前記装置の状態を規定する、及び／又は、環境の状態を規定するパラメータに依存して当該デバイスの動作を更に制御するように構成される、請求項１に記載のデバイス。
【請求項５】
前記ユーザ信号は、前記装置の表面にタッチすることを通じて前記表面を介してユーザにより生成される、請求項１に記載のデバイス。
【請求項６】
前記装置の前記プロファイルは、前記装置の機械的及び／若しくは表面特性を規定し、及び／又は、前記装置の前記プロファイルは、１若しくはそれ以上のユーザ信号及び／又は１若しくはそれ以上のユーザ信号の特性を規定する、請求項１に記載のデバイス。
【請求項７】
前記装置は、ドッキングステーションを有し、前記連携モードは、ドッキングモードを有し、当該デバイスは、前記ドッキングモードとは異なる少なくとも１つの他のモードを更に有する、請求項１に記載のデバイス。
【請求項８】
前記装置は、スマートデスクを有し、前記連携モードは、スマートデスクモードを有し、当該デバイスは、前記スマートデスクモードとは異なる少なくとも１つの他のモードを更に有する、請求項１に記載のデバイス。
【請求項９】
前記センサは、マイクロホン、カメラ、光検出器、近接検出器及び／又は加速度計を有する、請求項１に記載のデバイス。
【請求項１０】
当該デバイスの前記動作は、前記装置の動作の制御を有し、前記装置の前記動作は、オーディオ再生、オーディオ記録、ビデオ再生、ビデオ記録、光及び／又はアロマ生成及び／又は光記録を有する、請求項１に記載のデバイス。
【請求項１１】
当該デバイスの前記動作は、オーディオ再生、オーディオ記録、ビデオ再生、ビデオ記録、オーディオ通話、ビデオ通話、メッセージの交換及び／又はインターネット訪問を有する、請求項１に記載のデバイス。
【請求項１２】
前記連携モードは、電気的連携及び／又は機械的連携を有する、請求項１に記載のデバイス。
【請求項１３】
連携モードにおいてデバイスと連携するための装置であって、
第１の信号を前記デバイスに送信するためのインタフェースであって、前記第１の信号は、前記連携モードを示すための指標を有し、前記指標は、当該装置のプロファイルに関連付けられる、インタフェースと、
前記連携モードにおいて、ユーザが前記連携モードにおいて前記デバイスにより検出されるべきユーザ信号を生成するのを可能にするための表面とを有する、装置。
【請求項１４】
請求項３に記載のデバイスに装置のプロファイルを供給するためのサーバであって、
当該サーバは、前記装置の前記プロファイルのためのリクエストを前記デバイスから受信し、前記リクエストに応答して、前記装置の前記プロファイルを前記デバイスに供給するように構成される、サーバ。
【請求項１５】
請求項３に記載のデバイスに装置のプロファイルを供給するための方法であって、
前記装置の前記プロファイルのためのリクエストを前記デバイスから受信するステップと、
前記リクエストに応答して、前記装置の前記プロファイルを前記デバイスに供給するステップとを有する、方法。
【手続補正２】
【補正対象書類名】明細書
【補正対象項目名】全文
【補正方法】変更
【補正の内容】
【発明の詳細な説明】
【発明の名称】装置プロファイルを用いたデバイス装置連携
【技術分野】
【０００１】
本発明は、連携モードにおいて装置と連携するためのデバイスに関する。本発明は、更に、装置、前記装置のプロファイルを供給するためのサーバ、及び、前記装置のプロファイルを供給するための方法に関する。
【０００２】
斯様なデバイスの例は、ポータブルフォン及びポータブルコンピュータ等である。斯様な装置の例は、ドッキングステーション及びスマートデスク等である。
【背景技術】
【０００３】
米国特許出願公開第２０１１／０２９８７３６号明細書は、ドッキングステーションの形式の装置と、ドッキングステーションにドッキングされ得るポータブルデバイスの形式のデバイスとを開示している。
【０００４】
ドッキングされているときに、ポータブルデバイスのユーザ制御は、より困難になり得るか又は不可能にさえなり得る。
【発明の概要】
【発明が解決しようとする課題】
【０００５】
本発明の目的は、改良されたデバイスを提供することにある。本発明の他の目的は、改良された装置、サーバ及び方法を提供することである。
【課題を解決するための手段】
【０００６】
第１の態様によれば、連携モードにおいて装置と連携するためのデバイスであって、前記装置から第１の信号を受信するためのインタフェースであって、前記第１の信号は、前記連携モードを示すための指標を有し、前記指標は、前記装置のプロファイルに関連付けられる、インタフェースと、前記連携モードにおいて前記装置を介してユーザにより生成されるユーザ信号を検出するためのセンサと、前記装置の前記プロファイルを考慮して、前記センサからの検出結果を解析し、解析結果に基づいて当該デバイスの動作を制御するためのコントローラとを有する、デバイスが提供される。
【０００７】
連携モードは、例えばドッキングモードであるが、他の種類のモードを除外しているものではない。デバイスのインタフェースは、装置からの第１の信号を受信する。それに加えて、例えば、デバイスは、装置の存在を検出して、装置に第１の信号を送信することを要求するか、又は、装置は、デバイスの存在を検出して、第１の信号をデバイスに供給する。代わりに、第１の信号は、デバイスにおいて又は装置において開始される他の信号に対する応答であってもよい。この第１の信号は、連携モードを示すための指標を有する。この指標は、例えば、装置のプロファイルを有してもよく、又は、例えば、コード、数若しくはアドレス等を有してもよい。コード、数又はアドレス等は、装置のプロファイルを比較的直接的に規定してもよく、又は、装置の識別又は装置のタイプ等を規定することにより装置のプロファイルを比較的間接的に規定してもよい。従って、指標は、２つの実施形態によって更に後述されるように、装置のプロファイルに関連付けられる。デバイスのセンサは、連携モードにおいて、ユーザにより生成されたユーザ信号を例えば装置の表面を介して検出する。デバイスのコントローラは、装置のプロファイルによりセンサからの検出結果を解析し、解析結果に基づいてデバイスの動作を制御する。結果として、ユーザは、装置を介してユーザ信号を生成することにより、連携モードにあるときにデバイスの動作を制御するための追加の及び／又は代替の手段を得る。ユーザ信号は、デバイスのセンサにより検出される。斯様な改良されたデバイスは、連携モードにおいても、ユーザにより十分に制御され得る。これは、大きな利点である。
【０００８】
デバイスの一実施形態は、装置のプロファイルが装置により第１の信号を介して供給されるか、又は、装置のプロファイルが装置により第２の信号を介して供給されるとともに、インタフェースが装置から第２の信号を受信するように構成されることにより規定される。装置のプロファイルが装置により供給される場合において、これは、プロファイル及び指標を有する第１の信号を介して行われてもよく、これにより、指標がプロファイルの部分を形成してもしなくてもよく、又は、これは、第１の信号から別々に第２の信号を介して行われてもよく、これにより、第２の信号がプロファイルを含む。後者の場合、デバイスのインタフェースは、装置から第２の信号を受信するように構成されるべきである。
【０００９】
デバイスの一実施形態は、装置のプロファイルが第３の信号を介してサーバにより供給され、デバイスは、指標により第３の信号をネットワークを介してサーバから取り出すための取り出し部を更に有することにより規定される。装置のプロファイルがサーバにより供給される場合において、デバイスの取り出し部は、指標によりこのプロファイルを取り出してもよい。それに加えて、指標から、サーバ又はその部分を規定する位置が導出されるべきである。これは、デバイスにおいて、サーバにおいて、これらの間において、又は、他の場所において行われてもよい。取り出すことは、例えばダウンロードすること等を有し得るが、他の種類の取り出しを除外するもではない。
【００１０】
代わりに又は加えて、装置のプロファイルは、例えばプロファイル自体の、又は、プロファイルを規定する製品コード等の、ユーザによる手動入力のような、デバイスに又は装置に入力されるユーザ入力を介して供給されてもよい。
【００１１】
デバイスの一実施形態は、コントローラが、デバイスの状態を規定する、及び／又は、装置の状態を規定する、及び／又は、環境の状態を規定するパラメータに依存してデバイスの動作を更に制御するように構成されることにより規定される。デバイス及び／又は装置の状態は、前に開始された動作（データフェーズ）又は開始されるべき動作（シグナリングフェーズ）であってもよい。結果として、同じユーザ信号が異なる影響を有してもよい。例えば、装置の表面上の単一のタップの形式の同一のユーザ信号は、進行中の電話を終えること、アラームを停止すること、音楽の再生を中断すること、着信を受けること、及び、再生されるべき音楽を開始すること等をもたらし得る。環境の状態は、時間、日付、光の量、全地球測位システム座標、他の座標及び温度等であってもよく、埋め込まれた又はリモートの状態検出器、ユーザ入力、データベース等を介して取り出されてもよいが、他の種類の状態検出器を除外するものではない。
【００１２】
デバイスの一実施形態は、ユーザ信号が、装置の表面にタッチすることを通じてこの表面を介してユーザにより生成されることにより規定される。タッチすることは、手、指若しくは指の爪により、又は、リング、スタイラス若しくは腕時計等により、タップすること、こすること、スワイプすること、フリックすること、又は、任意の他のタッチングを含み得る。好ましくは、デバイスは、学習モード又はプログラミングモードを有してもよく、ユーザは、一種のタッチのための一種の動作の一種の制御等を規定してもよい。
【００１３】
場合により、装置のプロファイルは、ユーザ較正プロセスを介して供給されてもよく、これにより、ペアリング手順の間又は後に、ユーザは、例えば表面の左側で、中央で及び右側で後にタップすることのような、１又はそれ以上の場合により予め規定されたタッチを行うよう促される。較正プロセスのパターンは、装置等の適切なプロファイルを決定するため及び／又は取り出すために、解析されてもよく、及び／又は、格納されたパターンと比較されてもよい。更に、このように、異なるユーザが互いから区別されてもよい。加えて、ユーザは、ユーザがどの装置とインタラクトしたいか、ユーザがこれらの装置とどのようにインタラクトしたいか、装置のどの位置が前記のインタラクトのために用いられるべきか等をデバイス及び／又は１若しくはそれ以上の装置に入力してもよい。
【００１４】
デバイスの一実施形態は、装置のプロファイルが装置の機械的及び／若しくは表面特性を規定し、及び／又は、装置のプロファイルが、１若しくはそれ以上のユーザ信号及び／又は１若しくはそれ以上のユーザ信号の特性を規定することにより規定される。プロファイルが装置の機械的及び／又は表面特性を規定する場合において、プロファイルを考慮したセンサからのセンシング結果の解析は、１又はそれ以上の機械的及び／又は表面特性毎に格納された結果とセンシング結果を比較することを有してもよく、又は、１又はそれ以上の機械的及び／又は表面特性等によりセンシング結果に対する計算を実行することを有してもよい。装置のプロファイルが１若しくはそれ以上のユーザ信号及び／又は１若しくはそれ以上のユーザ信号の特性を規定する場合において、プロファイルを考慮したセンサからのセンシング結果の解析は、１若しくはそれ以上のユーザ信号及び／若しくは特性とセンシング結果を比較することを有してもよく、又は、１若しくはそれ以上のユーザ信号及び／若しくは特性等によりセンシング結果に対する計算を実行することを有してもよい。
【００１５】
デバイスの一実施形態は、装置がドッキングステーションを有し、連携モードがドッキングモードを有し、デバイスがドッキングモードとは異なる少なくとも１つの他のモードを更に有することにより規定される。少なくとも１つの他のモードは、例えばスタンドアロンモード及びネットワークモード等のような、ドッキングモードから及び装置から完全に独立しているモードである。
【００１６】
デバイスの一実施形態は、装置がスマートデスクを有し、連携モードがスマートデスクモードを有し、デバイスがスマートデスクモードとは異なる少なくとも１つの他のモードを更に有することにより規定される。少なくとも１つの他のモードは、例えばスタンドアロンモード及びネットワークモード等のような、スマートデスクモードから及び装置から完全に独立しているモードである。
【００１７】
デバイスの一実施形態は、センサがマイクロホン、カメラ、光検出器、近接検出器及び／又は加速度計を有することにより規定される。
【００１８】
デバイスの一実施形態は、デバイスの動作が装置の動作の制御を有し、装置の動作がオーディオ再生、オーディオ記録、ビデオ再生、ビデオ記録、光及び／又はアロマ生成及び／又は光記録を有することにより規定される。制御は、動作又はそのパラメータの開始、停止、中断、選択及び適合等を行うことを含んでもよい。光記録は、例えば、入力光等（の量）の測定を有する。
【００１９】
デバイスの一実施形態は、デバイスの動作がオーディオ再生、オーディオ記録、ビデオ再生、ビデオ記録、オーディオ通話、ビデオ通話、メッセージの交換及び／又はインターネット訪問を有することにより規定される。デバイスの動作の制御は、単純な場合において、デバイスへの又はユーザへの情報の提供を有してもよく、より複雑な場合において、動作及び／又はそのパラメータ等の開始、停止、中断、選択及び適合等を行うことを有してもよい。デバイスの一実施形態は、連携モードは、電気的連携及び／又は機械的連携を有することにより規定される。
【００２０】
デバイスの一実施形態は、連携モードは、電気的連携及び／又は機械的連携を有することにより規定される。電気的連携を介して信号が交換され得る。機械的連携を介して支持体が装置からデバイスに供給される。電気的連携は、例えばドッキングモード等のような有線の連携モードであってもよく、例えばスマートデスクモード等のようなワイヤレスモードであってもよい。しかしながら、ドッキングモードがワイヤレスモードを有してもよいこと、及び、スマートデスクモードが有線のモードを有してもよいこと等が除外されるべきではない。
【００２１】
第２の態様によれば、連携モードにおいてデバイスと連携するための装置であって、第１の信号を前記デバイスに送信するためのインタフェースであって、前記第１の信号は、前記連携モードを示すための指標を有し、前記指標は、当該装置のプロファイルに関連付けられる、インタフェースと、前記連携モードにおいて、ユーザが前記連携モードにおいて前記デバイスにより検出されるべきユーザ信号を生成するのを可能にするための表面とを有する、装置が提供される。
【００２２】
好ましくは、装置のプロファイルは、第１の信号を介して装置により供給されてもよく、又は、装置のプロファイルは、第２の信号を介して装置により供給されてもよく、これにより、インタフェースは、第２の信号をデバイスに送信するように構成される。好ましくは、装置のプロファイルは、装置の機械的及び／又は表面特性を規定してもよく、及び／又は、装置のプロファイルは、１若しくはそれ以上のユーザ信号及び／又は１若しくはそれ以上のユーザ信号の特性を規定してもよい。
【００２３】
第３の態様によれば、上で規定されたデバイスに装置のプロファイルを供給するためのサーバであって、当該サーバは、前記装置の前記プロファイルのためのリクエストを前記デバイスから受信し、前記リクエストに応答して、前記装置の前記プロファイルを前記デバイスに供給するように構成される、サーバが提供される。
【００２４】
第４の態様によれば、上で規定されたデバイスに装置のプロファイルを供給するための方法であって、前記装置の前記プロファイルのためのリクエストを前記デバイスから受信するステップと、前記リクエストに応答して、前記装置の前記プロファイルを前記デバイスに供給するステップとを有する、方法が提供される。
【００２５】
基本的な思想は、連携モードを示すための指標及び装置のプロファイルが関連付けられること、及び、連携モードにおけるデバイスのセンサからのセンシング結果がデバイスの動作を制御するために前記プロファイルにより解析されることである。
【００２６】
改良されたデバイス及び改良された装置を提供するための問題が解決された。更なる利点は、デバイスの利便性及び装置の利便性が増大されたこと、動作のためのより多くのオプションが可能になったこと、デバイスのアプリケーションエリア及び装置のアプリケーションエリアが主として既存のハードウェアを用いることにより拡張されたことである。
【００２７】
本発明のこれらの及び他の態様は、後述される実施形態から明らかになり、これらを参照して説明されるだろう。
【図面の簡単な説明】
【００２８】
【図１】デバイス及び装置の第１の組み合わせを示す。
【図２】デバイス及び装置の第２の組み合わせを示す。
【図３】デバイス及び装置の第３の組み合わせを示す。
【図４】デバイス及び装置を概略的に示す。
【図５】フローチャートを示す。
【図６】タッチされている間の第２の組み合わせを示す。
【図７】タッチされている間の第３の組み合わせを示す。
【図８】デバイス及び装置の第４の組み合わせを示す。
【発明を実施するための形態】
【００２９】
図１において、デバイス及び装置の第１の組み合わせが示されており、デバイスは、モバイルフォン又はオーディオ／ビデオプレーヤのようなポータブルデバイスを有し、装置は、ポータブルデバイスに対するドッキング可能性を有するクロックラジオを有する。
【００３０】
図２において、デバイス及び装置の第２の組み合わせが示されており、デバイスは、モバイルフォン又はオーディオ／ビデオプレーヤのようなポータブルデバイスを有し、装置は、ポータブルデバイスのためのドッキングステーションを有する。
【００３１】
図３において、デバイス及び装置の第３の組み合わせが示されており、デバイスは、モバイルフォン又はオーディオ／ビデオプレーヤのようなポータブルデバイスを有し、装置は、ポータブルデバイスに対するドッキング可能性を有するウェークアップランプを有する。
【００３２】
図４において、デバイス１及び装置２が概略的に示されている。デバイス１は、インタフェース１１に結合されたコネクタ１０を有し、インタフェース１１に結合されたコントローラ１３を有する。デバイス１は、コントローラ１３に結合されたマイクロホン、カメラ、光検出器、近接検出器及び／又は加速度計等のようなセンサ１２を更に有する。デバイス１は、例えば、コントローラ１３に結合された取り出し部１４及び人−マシン−インタフェース１５を両方とも更に有する。装置２は、インタフェース２１に結合されたコネクタ２０を有し、表面２２を有する。装置２は、インタフェース２１に結合されたコントローラ２３を更に有する。装置２は、例えば、コントローラ２３に結合された人−マシン−インタフェース２４を更に有する。コネクタ１０及び２０は、互いに機械的に接続されているが、代わりに、これらが省略されてもよく、インタフェース１１及び２１は、互いにワイヤレスの手段で通信してもよい。各コントローラ１３，２３は、プロセッサ及びメモリを有してもよい。
【００３３】
デバイス１のインタフェース１１は、装置２から第１の信号を受信する。それに加えて、例えば、コネクタ１０及び２０を介して、デバイス１は、装置２の存在を検出してもよく、その後、装置２に第１の信号を送信するよう要求してもよく、又は、装置２は、デバイス１の存在を検出してもよく、その後、デバイス１に第１の信号を供給してもよい。代わりに、前記の検出は、インタフェース１１及び２１を介してワイヤレスの手段で生じてもよく、及び／又は、第１の信号は、例えばペアリング手順を介して、デバイスにおいて又は装置において開始される他の信号に対する応答であってもよい。第１の信号は、ドッキングモードのような連携モードを示すための指標を有する。この指標は、以下のように、装置２のプロファイルに関連付けられる。
【００３４】
第１のオプションによれば、指標は、コードを有し、装置２のプロファイルがデバイス１に予め格納されている。コードの受信を通じて、デバイス１は、連携モードについて通知され、そのメモリを通じて、デバイス１は装置２のプロファイルにアクセスする。第２のオプションによれば、指標は、コード又はアドレスを有し、装置２のプロファイルは、コード又はアドレスにより規定された位置で、デバイス１のメモリに予め格納されている。第３のオプションによれば、装置２のプロファイルは、プロファイル及び指標を有する第１の信号を介して装置２により供給され、これにより、指標は、プロファイルの部分を形成してもよい（プロファイルが送信されるという事実は、連携モードを示すための指標であるとみなされ得る）。第４のオプションによれば、装置２のプロファイルは、インタフェース２１及び１１を介して交換されるべき第２の信号を介して装置２により供給される。第５のオプションによれば、指標はコードを有し、装置２の識別又はタイプがデバイス１に予め格納されている。コードの受信を通じて、デバイス１は、連携モードについて通知され、そのメモリを通じて、デバイス１は、装置２の識別又はタイプを知り、ネットワークを介してサーバにアクセスするためにこの認識を用いる。それに加えて、取り出し部１４は、通信３３を介してサーバからプロファイルを取り出す。第３の信号を介して、プロファイルは、サーバからデバイス１に送信される。第６のオプションによれば、指標は、サーバにおける位置を規定するコード又はアドレスを有する。コード又はアドレスの受信を通じて、デバイス１は、連携モードについて通知され、ネットワークを介してサーバにアクセスするためにこのコード又はこのアドレスを用いる。そして、取り出し部１４は、通信３３を介してサーバからプロファイルを取り出す。換言すれば、第３の信号を介して、プロファイルは、サーバからデバイス１に送信される。
【００３５】
デバイス１のセンサ１２は、矢印３２により示されるように、連携モードにおいて、例えば矢印３１により示されるように装置２の表面２２にタッチすることにより、装置２を介してユーザにより生成されたユーザ信号を検出する。前記のタッチは、手若しくは指若しくは指の爪により、又は、リング若しくはスタイラス若しくは腕時計等により、タップすること、こすること、スワイプすること、フリックすること、又は、任意の他のタッチを有してもよい。デバイス１のコントローラ１３は、装置２のプロファイルを考慮してセンサ１２からのセンシング結果を解析し、解析結果に基づいてデバイス１の動作を制御する。結果として、ユーザは、連携モードにあるときに、デバイス１の動作を制御するための追加の及び／又は代替の手段を得た。制御されるデバイス１の動作は、それ自身の動作を有してもよく、装置２の動作の制御を有してもよい。
【００３６】
単なる一例として、デバイス１又は装置２が音楽を再生しているときに、表面２２上の左から右へのフリックは、次の曲の選択をもたらしてもよく、表面２２上の右から左へのフリックは、前の曲の選択をもたらしてもよい。表面２２の第１の位置において数回タップすることは、音楽の音量を低減させることをもたらしてもよく、表面２２の他の位置において数回タップすることは、音楽の音量を増大させることをもたらしてもよい。
【００３７】
図４において、前記連携モードは、ドッキングモードを有し、装置２は、クロックラジオ又はウェークアップランプのようなドッキングステーションを有する。通常、デバイス１は、連携モードに加えて、スタンドアロンモード又はネットワークモード等のようなドッキングモードとは異なる少なくとも１つの他のモードを有するだろう。
【００３８】
コントローラ１３は、デバイス１の状態を規定する、及び／又は、装置２の状態を規定する、及び／又は、環境の状態を規定するパラメータに依存して、デバイス１の動作を更に制御してもよい。結果として、同じユーザ信号は、前記状態のうち１又はそれ以上に依存して異なる影響を有してもよい。
【００３９】
装置２のプロファイルは、装置２の機械的及び／又は表面特性を規定してもよく、この場合において、プロファイルを考慮したセンサ１２からのセンシング結果の解析は、１又はそれ以上の機械的及び／又は表面特性毎に格納された結果とセンシング結果を比較することを有してもよく、又は、１又はそれ以上の機械的及び／又は表面特性等によりセンシング結果に対する計算を実行することを有してもよい。装置２のプロファイルは、代わりに又は加えて、１若しくはそれ以上のユーザ信号及び／又は１若しくはそれ以上のユーザ信号の特性を規定してもよく、この場合において、プロファイルを考慮したセンサからのセンシング結果の解析は、１又はそれ以上のユーザ信号及び／又は特性とセンシング結果を比較することを有してもよく、又は、１又はそれ以上のユーザ信号及び／又は特性等によりセンシング結果に対する計算を実行することを有してもよい。機械的及び／又は表面特性は、装置２のサイズ及び重量を有してもよく、装置２を生成するために用いられた材料のタイプ等を規定してもよい。
【００４０】
第５及び第６のオプションによれば、サーバは、装置２のプロファイルをデバイス１に供給し、それに加えて、装置２のプロファイルのためのリクエストをデバイス１から受信するように構成され、リクエストに基づいて、装置２のプロファイルをデバイス１に供給するように構成される。方法は、装置２のプロファイルをデバイス１に供給し、それに加えて、装置２のプロファイルのためのリクエストをデバイス１から受信するステップを有し、リクエストに基づいて、装置２のプロファイルをデバイス１に供給するステップを有する。いずれの場合においても、リクエストは、装置２の識別又はタイプについての認識を有してもよく、及び／又は、装置２のプロファイルが見つけられ得る位置を規定するコード又はアドレスを有してもよい。
【００４１】
図５において、フローチャートが示されており、以下のブロックは、以下の意味を有する。
ブロック４１：デバイス１がドッキングモードを検出する。
ブロック４２：装置２がプロファイルをデバイス１に送信するか、又は、デバイス１が自己のメモリから又はサーバからプロファイルを取り出す。
ブロック４３：センサ１２が聴取を開始する。
ブロック４４：コントローラ１３が装置２のプロファイルを考慮してセンサ１２からのセンシング結果を解析する。
ブロック４５：解析結果が有効かどうかを決定するために、及び、ユーザが装置２の表面にどのようにタッチしたかを決定するために、解析結果がチェックされる。
ブロック４６：コントローラ１３が、解析結果に基づいてデバイス１の動作を制御し、制御されるデバイス１の動作は、自己の動作又は装置２の動作を有し、及び／又は、デバイス１、装置２及び環境の１又はそれ以上の状態に依存する（例えば単一のタップが認識されたときには、夜において、リラックスした音楽が中断され、朝において、アラームがスヌーズされる）。
【００４２】
このフローチャートは、単なる例である。多くの他のフローチャートが可能であり、序論から及び他の図面の説明から導出され得る。
【００４３】
図６において、第２の組み合わせは、タッチされている間に示される。例えば加速度計等の形式のセンサ１２により検出されるように、タッチに応答して生成されるユーザ信号が更に示される。このユーザ信号は、タッチの種類を決定するために、格納されたユーザ信号と比較されてもよい。代わりに、このユーザ信号の特性は、タッチの種類を決定するために、導出され、格納された特性と比較されてもよい。更に代わりに、計算は、タッチの種類等を決定するために、斯様なユーザ信号により、又は、斯様な特性により行われてもよい。
【００４４】
図７において、タッチされている間の第３の組み合わせが示されている。タッチは、前に述べられたユーザ信号の検出をもたらすだろう。
【００４５】
図８において、デバイス及び装置の第４の組み合わせが示されており、デバイスは、ポータブルコンピュータを有し、装置は、スマートデスクを有する。ここで、連携モードは、（ワイヤレス）スマートデスクモードを有し、通常、デバイスは、スタンドアロンモード又はネットワークモード等のようなスマートデスクモードとは異なる少なくとも１つの他のモードを有するだろう。この場合、インタフェースは、ワイヤレスインタフェースであるだろう。スマートデスクをタップすることにより、ユーザは、ビデオ通話に答え得る。スマートデスクをフリックすることにより、ユーザは、ポータブルコンピュータ等に示された文書又は本のページをめくり得る。
【００４６】
要約すると、デバイス１は、ドッキングモード及びスマートデスクモードのような連携モードにおいて装置２と連携し、連携モードを示すための、装置２のプロファイルに関連付けられた指標を有する第１の信号を装置２から受信するためのインタフェース１１を有する。センサ１２は、連携モードにおいて、装置２を介してユーザにより生成されたユーザ信号を検出し、コントローラ１３は、装置２のプロファイルを考慮してセンサからのセンシング結果を解析し、解析結果に基づいてデバイス１の動作を制御する。装置２のプロファイルは、デバイス１に予め格納されてもよく、又は、装置２により供給されてもよく、又は、サーバから取り出されてもよい。デバイス１の動作は、デバイス１又は装置２又は環境の状態を規定するパラメータに依存して制御されてもよい。ユーザ信号は、装置２の表面２２にタッチすることを通じてユーザにより生成されてもよい。
【００４７】
本発明が図面及び前述の説明において示され、詳述された一方で、斯様な図例および説明は、例示又は単なる例であり、限定するものではないものとみなされるべきである。本発明は、開示された実施形態に限定されるものではない。開示された実施形態に対する他のバリエーションは、図面、開示及び添付の特許請求の範囲の研究から、当業者によって理解され、実施され得る。請求項において、“有する”という用語は他の要素又はステップを除外するものではなく、単数表記は複数を除外するものではない。特定の手段が相互に異なる従属請求項に記載されるという単なる事実は、これらの手段の組み合わせが有効に用いられ得ないことを示すものではない。請求項中のいかなる参照符号も、その範囲を限定するものとして解釈されるべきでない。